(57)【要約】【課題】  メガネのフロントフレームの正面に左右対を成す２枚の前掛けフロント部を着脱可能に取付けることが出来る前掛け式メガネフレームの提供。【解決手段】  フロントフレーム１の両側に保持部１１，１１を設け、該保持部１１には回動部１２を回転可能に軸支すると共に外周に形成した複数の凹溝１９ａ，１９ｂ，１９ｃにはバネ力を付勢したボール１４を係合し、そして該回動部１２には前掛けフロント部３の外側に設けた取付け部１０を磁石１７ａ，１７ｂを介して取付けている。【選択図】    図１
2010197683.tif 000002
【特許請求の範囲】
【請求項１】
メガネのフロントフレームの正面に左右対を成す２枚の前掛けフロント部を着脱可能に取付けることが出来る前掛け式メガネフレームにおいて、フロントフレームの両側に保持部を設け、該保持部には回動部を回転可能に軸支すると共に外周に形成した複数の凹溝にはバネ力を付勢したボール又はピン先端を係合し、そして該回動部には前掛けフロント部の外側に設けた取付け部を磁石を介して取付けたことを特徴とする前掛け式メガネフレーム。
【請求項２】
上記保持部をヨロイの内側に設け、該ヨロイには穴を形成し、前掛けフロント部の取付け部が該穴を挿通して回動部に取付け可能とした請求項１記載の前掛け式メガネフレーム。
【請求項３】
メガネのフロントフレームの正面に左右対を成して着脱可能に取付けることが出来る前掛けフロント部において、該前掛けフロント部の外側には取付け部を設け、フロントフレームの外側に回転可能に軸支した回動部に磁石を介して取付けることが出来るようにしたことを特徴とする前掛け式メガネフレームの前掛けフロント部。
【発明の詳細な説明】
【技術分野】
【０００１】
本発明は、前掛けフロント部をメガネのフロントフレームの正面に簡単な方法で、安定して取付けることが出来る前掛け式メガネフレームに関するものである。
【背景技術】
【０００２】
従来においても、メガネのフロントフレームに前掛けフロント部を取付けたメガネは多用されている。これは周知の通り、近眼の人がサングラスを必要とする場合や、老眼であるにもかかわらず近眼でもあるといったケースは多く、このような場合に近眼用のメガネにサングラスの前掛けフロント部を取付けたり、近眼用のメガネに老眼用レンズを入れた前掛けフロント部を使用するといった具合である。
【０００３】
ところで、従来型式の前掛けフロント部を備えたメガネフレームには幾つかの問題がある。その１つは取付け構造が複雑である為に製作コストが高くなると共に、嵌合状態があまくなってガタ付きを生じ、前掛けフロント部が安定しないといった点である。
【０００４】
図６は従来多用されている前掛け式メガネフレームを示し、（ａ）はメガネフレーム、（ｂ）は上記メガネフレーム（イ）のフロントフレーム（ハ）に取付けられる前掛けフロント部（ロ）を表している。フロントフレーム（ハ）の両側に設けているヨロイ（ニ）、（ニ）には磁石（ホ）、（ホ）が取着され、前掛けフレーム（ロ）の両側に設けているヨロイ（ヘ）、（ヘ）にも同じく磁石（ト）、（ト）を有している。
【０００５】
そこで、上記前掛けフレーム（ロ）はフロントフレーム（ハ）の正面に重ね合わされ、磁石（ホ）に磁石（ト）が引き付けられて取着される。勿論、磁石（ホ）、（ト）を介して取付けられる前掛けフロント部（ロ）が位置ズレしないように何らかの工夫はされている。実用新案登録第３０８１２７１号に係る「めがね」はこの前掛け式メガネフレームに相当する。
【０００６】
又、特許第２９９７４１８号に係る「着脱眼鏡取付装置」はフロントフレームのヨロイ部に受部を設けると共に該受部には磁石を取付け、前掛けフレームを該受部に載せて磁石にて吸着する構造と成っている。このように、従来の構造では前掛け式メガネフレームのフロントフレーム及び前掛けフロント部に小さな磁石を取付けた形態となっている。
【０００７】
ところで、前掛けフロント部は常に必要な訳ではなく、使用しない時にはフロントフレームから取外されるが、必要に応じてその都度前掛けフロント部（ロ）をフロントフレーム（ハ）に取付けたり、又は取外したりすることは面倒な場合も多い。例えば、サングラス機能を備えた前掛けフロント部（ロ）を取付けて車の運転をしている場合、薄暗いトンネルを通過する際に該前掛けフロント部（ロ）を取外すことは面倒であると共に危険を伴う。
【特許文献１】実用新案登録第３０８１２７１号に係る「めがね」
【特許文献２】特許第２９９７４１８号に係る「着脱眼鏡取付装置」
【発明の開示】
【発明が解決しようとする課題】
【０００８】
このように、従来の前掛け式メガネフレームには上記のごとき問題がある。本発明が解決しようとする課題はこの問題点であって、前掛けフロント部を簡単に着脱することが出来、又取付けた状態で外側へ開くことが出来る前掛け式メガネフレームを提供する。
【課題を解決するための手段】
【０００９】
本発明に係る前掛け式メガネフレームは、その前掛けフロント部を着脱可能に取付けた構造とし、しかも該前掛けフロント部はメガネのフロントフレームに取付けた状態で外側に開くことが出来るように構成している。ところで、フロントフレームの外側には保持部を設け、該保持部には回動部が回転可能に取付けられ、この回動部に前掛けフロント部が磁石を介して取着される。そこで、前掛けフロント部は左右対を成した形態とし、リム又はレンズの外側に取付け部を有し、該取付け部が上記回動部に止着される。
【００１０】
上記回動部は軸を中心として回動することが出来、しかも所定の位置で静止できるようにバネ力が付勢されたボール又はピンが係合する凹溝を回動部外周に形成している。そして、回動部と前掛けフロント部に設けた取付け部には互いに噛み合う凹部と凸部が設けられて、回動部に取付けた前掛けフロント部の位置決めが行われる。
【発明の効果】
【００１１】
本発明に係る前掛け式メガネフレームは、フトントフレームに両前掛けフロント部が磁石を介して取付けられた構造である為に、簡単に取外すことが出来る。すなわち、前掛けフロント部は着脱自在としている。そして、前掛けフロン部は外側に取付け部を有し、該取付け部はメガネのフロントフレームの保持部に設けた回動部に取付けられ、該回動部の回転によって前掛けフロント部は外側へ開くことが出来る。
【００１２】
そして、上記回動部は回転出来るように軸支されているが、外周には複数の凹溝が形成されていて、該凹溝にはバネ力を付勢したボール又はピン先端が係合することで、前掛けフロント部は所定の位置で安定して静止することが出来る。本発明の前掛けフロント部は着脱可能である為に前掛け式メガネフレームであるが、外側へ開くことが出来ることから、開く方向は異なるが跳ね上げ式メガネフレームとしての機能を備えている。しかし、前掛けフロント部が跳ね上げられる支点がフロントフレームの外側に位置していることで、すなわち、通常の跳ね上げフロント部のようにフロントフレーム上部に支点が位置していないことから、メガネフレーム全体の外観がスッキリする。
【実施例】
【００１３】
図１は本発明に係る前掛け式メガネフレームを表している実施例であり、同図の１はフロントフレーム、２はツル、３，３は前掛けフロント部を夫々示している。このように前掛けフロント部３，３は２枚で構成され、夫々がフロントフレームの左右に対を成して取付けられる。
【００１４】
図２には前掛けフロント３，３を取外している場合のメガネフレームであるが、該フロントフレーム１は従来のメガネと同じくレンズが嵌っているリム４，４が連結部材５にて繋がれ、中央部には鼻当てパット６，６が対を成して取付けられ、両外側にはヨロイ７，７を有し、該ヨロイ７，７には上記ツル２，２が蝶番８，８を介して折畳み出来るように取付けられている。そして、上記ヨロイ７，７の内側には前掛けフロント部３，３が取付けられる保持部１１，１１を設けている。
【００１５】
ところで、図３には前掛けフロント部３，３を示しているが、フロントフレーム１のリム４，４と同じ形状として重なり合うことが出来る。すなわち、この前掛けフロント部３はレンズが嵌るようにリム４と同じ形状のリム９を有し、外側には取付け部１０をロウ付けして設けている。
【００１６】
この前掛けフロント部３は該取付け部１０を介してヨロイの内側に設けている保持部１１に取付けられるが、図４に示すように該保持部１１には回動部１２を有し、該回動部１２は軸ネジ１３を中心として回転することが出来るように軸支されている。そして、回動部１２の外側には凹溝が形成され、該凹溝にはコイルバネ１５のバネ力が付勢されたボール１４が嵌っている。
【００１７】
この回動部１２に前掛けフロント部３の取付け部１０が取付けられ、その為にフロントフレーム１のヨロイ７には穴１６が形成され、該穴１６から取り付け部０が嵌って回動部１２に磁石を介して取付けられる。図５は保持部１１から回動部１２を分離し、該回動部１２から取付け部１０を外した場合を示している。回動部１２には磁石１７ａが設けられ、取付け部１０には磁石１７ｂが設けられている。ここで、回動部１２には凹部２０が設けられ、一方の取付け部１０には凸部２１を形成している。従って、凹部２０に凸部２１が嵌合することで回動部１２に取付けた取付け部１０、すなわち前掛けフロント部３は正しく位置決めされる。
【００１８】
従って、取付け部１０は磁石１７ａ，１７ｂを介して回動部１２に取付けられる。回動部１２には軸穴１８が貫通して設けられ、この軸穴１８に保持部１１の軸ネジ１３が挿通することで該回動部１２は回転可能に軸支される。そして、回動部１２の外周には凹溝１９ａ，１９ｂ，１９ｃが形成され、この凹溝１９ａ，１９ｂ，１９ｃにバネ力が付勢しているボール１４が嵌って該回動部１２の向きが規制される。
【００１９】
図４において、前掛けフロント部３の方向が３パターンの場合を示している。前掛けフロント部３ａの場合は閉じてフロントフレーム１に重なり合った状態、前掛けフロント部３ｂは６０°開いた状態、前掛けフロント部３ｃは９０°開いた状態を夫々示している。このように、回動部１２の外周に凹溝１９ａ，１９ｂ，１９ｃを形成することで前掛けフロント部３の向きを３パターンにすることが出来る。
【００２０】
すなわち、凹溝１９ａにボール１４が嵌ることで、前掛けフロント部３ａのようにフロントフレーム１に重なって静止し、凹溝１９ｃにボール１４が嵌ることで、前掛けフロント部３ｃのように９０°に開いて静止する。このように、本発明に係る前掛け式メガネフレームでは、前掛けフロント部３を必要に応じてフロントフレーム１に取付けしたり、フロントフレーム１から取外すことが出来る。
【００２１】
そして、該前掛けフロント部３を取外すことなく、取付けたままの状態で図４に示すごとく外側へ開くことが出来る。開く方向は異なるが跳ね上げ式メガネフレームと同じように機能することが出来る。しかも、前掛けフロント部３を旋回して開くことが出来る支点となる回動部１２がヨロイ部に設けられることで、閉じた状態でのメガネフレーム外観は普通のメガネと異なることなくスッキリしている。
【００２２】
ところで、実施例では図３に示すように前掛けフロント部３をリム９にレンズを嵌めた形態としているが、リム９を使用することなくレンズ外側に取付け部１０を直接ネジ止めにて取付けることも出来る。
【００２３】
そして、回動部１２を回転可能に軸支する回動部１２を有す保持部１１は、ヨロイ７の内側に取付けているが、該ヨロイ７と保持部１１を一体化して構成することも出来る。又、ボール１４にバネ力を付勢するバネはコイルバネ１５に限定するものではない。
【図面の簡単な説明】
【００２４】
【図１】本発明に係る前掛け式メガネフレームの実施例。
【図２】前掛けフロント部を取外した場合のメガネフレーム。
【図３】前掛けフロント部の具体例。
【図４】前掛けフロント部の向きを示している。
【図５】保持部から回動部を分離し、該回動部から取付け部を外した場合。
【図６】従来の一般的な前掛け式メガネフレーム。
【符号の説明】
【００２５】
１  フロントフレーム
２  ツル
３  前掛けフロント部
４  リム
５  連結部材
６  鼻当てパット
７  ヨロイ
８  蝶番
９  リム
10  取付け部
11  保持部
12  回動部
13  軸ネジ
14  ボール
15  コイルバネ
16  穴
17  磁石
18  軸穴
19  凹溝
20  凹部
21  凸部
【図１】
2010197683.tif 000003
【図２】
2010197683.tif 000004
【図３】
2010197683.tif 000005
【図４】
2010197683.tif 000006
【図５】
2010197683.tif 000007
【図６】
2010197683.tif 000008